(57)【要約】【課題】  所望のコンテンツを現在放送している放送局を自動的に選択して、放送データを受信すること。【解決手段】  サーバ１００は、時間の経過に伴い放送されたコンテンツのコンテンツ情報を順次キューシートに追加し、キューシートを更新する。放送受信装置１は、所定時間毎に、サーバ１００からキューシートを取得し、各放送局のキューシートに含まれている現在時刻に対応するコンテンツ情報の中に、ユーザ操作によって登録されたキーワードが含まれているコンテンツ情報が存在するか否かを判断し、存在する場合に、キーワードが含まれているコンテンツ情報のコンテンツを放送している放送局の放送データを受信装置に受信させる。【選択図】図３
2012151605.tif 000002
【特許請求の範囲】
【請求項１】
サーバと、前記サーバに接続可能な放送受信装置とを備え、
前記サーバが、
複数の放送局毎に、放送された複数のコンテンツのコンテンツ情報と、放送時刻情報とを含むキューシートを記憶する記憶手段と、
時間の経過に伴い放送されたコンテンツのコンテンツ情報を順次前記キューシートに追加して前記キューシートを更新する更新手段と、
前記キーシートを前記放送受信装置に送信する送信手段とを有し、
前記放送受信装置が、
所定時間毎に前記サーバから前記キューシートを受信するキューシート受信手段と、
ユーザ操作によってキーワードを登録するキーワード登録手段と、
各放送局のキューシートに含まれている現在時刻に対応するコンテンツ情報の中に、前記キーワードが含まれているコンテンツ情報が存在するか否かを判断する判断手段と、
前記キーワードが含まれているコンテンツ情報が存在する場合に、前記キーワードが含まれているコンテンツ情報のコンテンツを放送している放送局の放送データを受信装置に受信させる受信制御手段とを有する、放送受信システム。
【請求項２】
サーバと、前記サーバに接続可能な放送受信装置とを備え、前記サーバが、複数の放送局毎に、放送された複数のコンテンツのコンテンツ情報と、放送時刻情報とを含むキューシートを記憶する記憶手段と、時間の経過に伴い放送されたコンテンツのコンテンツ情報を順次前記キューシートに追加して前記キューシートを更新する更新手段と、前記キーシートを前記放送受信装置に送信する送信手段とを有する、放送受信システムにおける前記放送受信装置であって、
所定時間毎に前記サーバから前記キューシートを受信するキューシート受信手段と、
ユーザ操作によってキーワードを登録するキーワード登録手段と、
各放送局のキューシートに含まれている現在時刻に対応するコンテンツ情報の中に、前記キーワードが含まれているコンテンツ情報が存在するか否かを判断する判断手段と、
前記キーワードが含まれているコンテンツ情報が存在する場合に、前記キーワードが含まれているコンテンツ情報のコンテンツを放送している放送局の放送データを受信装置に受信させる受信制御手段とを有する、放送受信装置。
【請求項３】
前記キューシート受信手段が前記サーバから前記キューシートを受信したときに、前記判断手段が、各放送局のキューシートに含まれている現在時刻に対応するコンテンツ情報の中に、前記キーワードが含まれているコンテンツ情報が存在するか否かを判断する、請求項２に記載の放送受信装置。
【請求項４】
ユーザ操作に応じてデフォルトの放送局を選択する手段をさらに有し、
各放送局のキューシートに含まれている現在時刻に対応するコンテンツ情報の中に、前記キーワードが含まれているコンテンツ情報が存在しないと判断された場合、前記受信制御手段が、前記デフォルトの放送局の放送データを受信装置に受信させる、請求項２または３に記載の放送受信装置。
【請求項５】
請求項２〜４のいずれかに記載の放送受信装置の各手段をコンピュータに実行させる、放送受信プログラム。
【発明の詳細な説明】
【技術分野】
【０００１】
本発明は、放送受信システム、放送受信装置及びそのプログラムに関する。
【背景技術】
【０００２】
ラジオ放送やＴＶ放送を受信装置で受信して、音声データ及び／又は映像データを再生（又は記録）する場合に、ユーザは、番組表等を参考にして、放送データを受信する所望の放送局（チャンネルや周波数）を選択する必要がある。放送データを記録する場合には、ユーザ操作によって予めキーワードを登録しておき、ＥＰＧ（電子番組表）に記述されている各番組の放送内容情報に含まれているキーワードが、ユーザによって登録されたキーワードと一致する場合に、当該番組を自動的に記録する技術が使用されている。しかし、この技術によると、受信する放送局を番組単位でしか自動選択することができず、１つのチューナしか備えない場合に、登録されているキーワードが同じ時間帯に重複して複数の番組に存在する場合には、一方の番組しか受信して記録することができない。また、ＥＰＧに含まれている放送内容情報は将来的に放送される情報であり、例えば生放送のように放送内容情報が放送開始前に未確定のものについては、登録されているキーワードによって自動的に放送局を選択することができない。
【先行技術文献】
【特許文献】
【０００３】
【特許文献１】特開２００３−１０１４２４号公報
【特許文献２】特開２００１−２７５０５３号公報
【発明の概要】
【発明が解決しようとする課題】
【０００４】
本発明は上記従来の課題を解決するためになされたものであり、その目的は、所望のコンテンツを現在放送している放送局を自動的に選択して、放送データを受信することができる放送受信システムを提供することである。
【課題を解決するための手段】
【０００５】
本発明の好ましい実施形態による放送受信システムは、サーバと、前記サーバに接続可能な放送受信装置とを備え、前記サーバが、複数の放送局毎に、放送された複数のコンテンツのコンテンツ情報と、放送時刻情報とを含むキューシートを記憶する記憶手段と、時間の経過に伴い放送されたコンテンツのコンテンツ情報を順次前記キューシートに追加して前記キューシートを更新する更新手段と、前記キーシートを前記放送受信装置に送信する送信手段とを有し、前記放送受信装置が、所定時間毎に前記サーバから前記キューシートを受信するキューシート受信手段と、ユーザ操作によってキーワードを登録するキーワード登録手段と、各放送局のキューシートに含まれている現在時刻に対応するコンテンツ情報の中に、前記キーワードが含まれているコンテンツ情報が存在するか否かを判断する判断手段と、前記キーワードが含まれているコンテンツ情報が存在する場合に、前記キーワードが含まれているコンテンツ情報のコンテンツを放送している放送局の放送データを受信装置に受信させる受信制御手段とを有する。
【０００６】
サーバは、放送局から放送されたコンテンツのコンテンツ情報とその放送時刻とを順次キューシートに追加することで、キューシートを更新していく。放送受信装置は、所定時間間隔でサーバから各放送局のキューシートを受信する。放送受信装置は、各放送局のキューシートに含まれている現在時刻に対応するコンテンツ情報の中に、ユーザ操作によって登録されたキーワードが含まれているコンテンツ情報が存在するか否かを判断し、存在する場合に、キーワードが含まれているコンテンツ情報のコンテンツを現在放送している放送局に切換える。これにより、所望のコンテンツを現在放送している放送局に自動的に切換えることができる。
【０００７】
好ましい実施形態においては、前記キューシート受信手段が前記サーバから前記キューシートを受信したときに、前記判断手段が、各放送局のキューシートに含まれている現在時刻に対応するコンテンツ情報の中に、前記キーワードが含まれているコンテンツ情報が存在するか否かを判断する。
【０００８】
サーバからキューシートを受信したタイミングにおいて、各放送局のキューシートに含まれている現在時刻に対応するコンテンツ情報の中にキーワードが含まれているコンテンツ情報が存在するか否かを判断することによって、可能な限り遅滞なく、所望のコンテンツを現在放送している放送局に自動的に切換えることができる。
【０００９】
好ましい実施形態においては、放送受信装置は、ユーザ操作に応じてデフォルトの放送局を選択する手段をさらに有し、各放送局のキューシートに含まれている現在時刻に対応するコンテンツ情報の中に、前記キーワードが含まれているコンテンツ情報が存在しないと判断された場合、前記受信制御手段が、前記デフォルトの放送局の放送データを受信装置に受信させる。
【００１０】
この場合、所望のコンテンツの放送が終了した後には、ユーザ操作によって選択されたデフォルトの放送局に自動的に復帰することができる。従って、興味のない放送データをユーザの意に反して受信することを防止できる。
【００１１】
本発明の好ましい実施形態においては、上記放送受信装置の各手段をコンピュータに実行させる放送受信プログラムが提供される。
【発明の効果】
【００１２】
所望のコンテンツを現在放送している放送局を自動的に選択して、放送データを受信することができる放送受信システムを提供することができる。
【図面の簡単な説明】
【００１３】
【図１】本発明の好ましい実施形態による放送受信システムを示すブロック図である。
【図２Ａ】キューシートの一例を示す図である。
【図２Ｂ】キューシートの一例を示す図である。
【図２Ｃ】キューシートの一例を示す図である。
【図３】放送受信装置の処理を示すフローチャートである。
【図４】放送受信装置の処理を示すフローチャートである。
【発明を実施するための形態】
【００１４】
以下、本発明の好ましい実施形態について、図面を参照して具体的に説明するが、本発明はこれらの実施形態には限定されない。
【００１５】
図１は、本発明の好ましい実施形態による放送受信システムを示すブロック図である。放送受信システムは、放送受信装置１、及び、サーバ１００を備える。放送受信装置１は、複数の放送局の中から選択された放送局が放送する放送データを受信する。放送受信装置１は、全部の放送局の放送データを同時に受信することができず、特に限定されないが、本例では１つの放送局の放送データのみを受信する。受信した放送データは、再生部５によって再生される、又は、ＨＤＤ３に放送データファイルとして記録される。
【００１６】
サーバ１００は、図示しない複数の放送局についてキューシートを記憶している。キューシートは、複数の放送局毎に、放送された複数のコンテンツのコンテンツ情報と、放送時刻情報とを含む。サーバ１００は、管理者の操作に応じて、時間の経過に伴い放送されたコンテンツのコンテンツ情報を順次キューシートに追加し、キューシートを更新する。サーバ１００は、放送受信装置１からの要求に応じて、放送受信装置１にキューシートを送信する。
【００１７】
放送受信装置１は、所定時間毎に、サーバ１００からキューシートを取得し、メモリに保存する。放送受信装置１は、ユーザ操作によってキーワードが入力され、入力されたキーワードをメモリ４に登録する。放送受信装置１は、各放送局のキューシートに含まれている現在時刻に対応するコンテンツ情報の中に、ユーザ操作によって登録されたキーワードが含まれているコンテンツ情報が存在するか否かを判断する。キーワードが含まれているコンテンツ情報が存在する場合に、放送受信装置１は、キーワードが含まれているコンテンツ情報のコンテンツを放送している放送局の放送データを受信装置に受信させる。
【００１８】
放送受信装置１は、制御部２、ＨＤＤ（Hard
Disk Drive）等の記録媒体３、メモリ（ＲＯＭ及び／又はＲＡＭ）４、再生部５、受信部６、通信部７、操作部８、および、表示部９を備える。制御部２は、メモリ４に格納されている放送受信プログラムに基づいて放送受信装置１の各部を制御するものであり、例えば、マイコンやＣＰＵ等である。
【００１９】
受信部６は、図示しない放送局から放送される複数のコンテンツを含む放送データを受信する。コンテンツとは、放送データの部分データであって、音楽（曲）、映像および／または静止画等のデータの総称であり、本例では曲データである。放送はＴＶ放送またはラジオ放送等であり、デジタル放送、アナログ放送、衛星放送またはインターネット放送等の任意の放送が採用され得る。本例では、複数の曲データを含むＦＭ放送を例に説明する。
【００２０】
ＨＤＤ３は、受信部６によって受信された放送データを制御部２の指示により記録する。特に限定されないが、放送データは、所定時間（例えば６時間）毎の放送データファイルに分割され、ＨＤＤ３に記録される。再生部５は、受信部６によって受信された放送データを再生（例えば、復調や増幅）し、外部に接続された図示しないスピーカーに音声を出力する。また、再生部５は、ＨＤＤ３に記録されている放送データファイルをＨＤＤ３から読み出して再生する。
【００２１】
通信部７は、インターネット等の任意の電気通信回線を介してサーバ１００に接続し、サーバ１００との間で、コマンドやデータを送受信する。操作部８は、ユーザ操作を受け付けるものであり、操作ボタン、リモコン、キーボード、マウス等である。表示部９は、放送データを受信している放送局の情報や、コンテンツ情報を表示するものであり、液晶ディスプレイ等である。
【００２２】
図２Ａ〜図２Ｃは、各放送局Ｘ、Ｙ、Ｚのキューシートの一例を示す図である。キューシートは、放送局名と、コンテンツ情報（例えば、アーティスト名、曲名等）と、放送時刻（例えば、放送開始時刻、放送終了時刻）とを含む。例えば、図２Ａに示すように、放送局Ｘにおいて、２０１０年１月１日の１７時００分〜１７時１０分にアーティト名ａａａ、曲名ＡＡＡ１の曲が放送されたことを示している。なお、曲の放送終了時刻が次の曲の放送開始時刻と同じである場合には、キューシートに放送終了時刻が含まれなくてもよい。
【００２３】
キューシートは、サーバ１００の管理者の操作によって、順次、コンテンツ情報と放送時刻とが更新されている。例えば、放送局Ｘで２０１０年１月１日の１７時１０分にアーティト名ｂｂｂ、曲名ＢＢＢの曲が放送開始されると、ただちにサーバ１００の管理者の操作によって、サーバ１００は、放送局Ｘのキューシートに、アーティト名ｂｂｂ、曲名ＢＢＢ、放送開始時刻２０１０年１月１日の１７時１０分を登録する。このときには、アーティト名ｂｂｂ、曲名ＢＢＢの放送終了時刻は未定であるので、未だ登録されない。
【００２４】
そして、２０１０年１月１日の１７時１５分に次曲であるアーティト名ｃｃｃ、曲名ＣＣＣの曲が放送開始されると、ただちにサーバ１００の管理者の操作によって、サーバ１００は、放送局Ｘのキューシートに、アーティト名ｃｃｃ、曲名ＣＣＣ、放送開始時刻２０１０年１月１日の１７時１５分を登録し、アーティト名ｂｂｂ、曲名ＢＢＢの放送終了時刻に２０１０年１月１日の１７時１５分を登録する。
【００２５】
制御部２は、所定時間間隔（例えば３０秒毎）に、サーバ１００に各放送局のキューシートを要求して取得し、メモリ４に保存する。この所定時間は、最新のキューシートを迅速に取得できるという理由で可能な限り短い方が好ましいが、短すぎると放送受信装置１とサーバ１００との間の通信量が増大してしまうので、これを踏まえて適切な時間に設定されるとよい。好ましくは、サーバ１００でキューシートが所定時間間隔（例えば３０秒）で更新される場合、制御部２がサーバ１００からキューシートを要求して取得する所定時間は、サーバ１００がキューシートを更新する所定時間以下とすることで、可能な限り遅滞なく最新のキューシートを取得できる。なお、サーバ１００がキューシートを更新した際に、制御部２の要求無く、キューシートを放送受信装置１に送信してもよい。
【００２６】
制御部２は、ユーザ操作によって、キーワードが入力されると、入力されたキーワードをメモリ４に登録する。制御部２は、サーバ１００からキューシートを取得した時（又は所定の時間間隔で）、新たに受信したキューシートを参照して、現在時刻に対応する各放送局のキューシートのコンテンツ情報（曲名、アーティスト名）を確認し、コンテンツ情報にユーザ操作によって登録されたキーワードが含まれているコンテンツ情報が存在するか否かを判断する。存在する場合には、制御部２は、コンテンツ情報にキーワードが含まれているコンテンツを放送している放送局を選択し、選択した放送局の放送データを受信するように、受信部６を制御する。なお、現在時刻は、制御部２内部で管理している時計に基づいて決定されるとよい。
【００２７】
以上の構成を有する放送受信装置１についてその動作を説明する。なお、以下の例において、受信部６によって受信された放送データは、再生部５によって再生されてもよく、ＨＤＤ３に記録されてもよい。図３は、制御部２の処理を示すフローチャートである。制御部２は、ユーザ操作に応じてキーワードが入力されると、入力されたキーワードをメモリ４に登録する（Ｓ１）。キーワードは、例えば、アーティスト名、曲名等の曲のメタデータ等である。なお、キーワードは、１つのみでもよく、複数のキーワードの組合せ（ＯＲ又はＡＮＤ）でもよい。ここでは、キーワードとして、アーティスト名の「ａａａ」が登録されたとする。なお、キューシートに登録されているコンテンツ情報に番組内容やＤＪ名等が含まれている場合、それらの情報がキーワードとして登録されてもよい。
【００２８】
サーバ１００は、管理者の操作によって、各放送局のキューシートについて、放送時刻およびコンテンツ情報を随時更新し、サーバ１００のメモリに保存している。制御部２は、所定時間毎にサーバ１００に各放送局のキューシートを送信するようにインターネット経由で要求し、サーバ１００から各放送局のキューシートをインターネット経由で取得し、メモリ４に保存する（Ｓ２）。
【００２９】
制御部２は、現在時刻に対応する各放送局のキューシートのコンテンツ情報（曲名、アーティスト名）を参照して、コンテンツ情報にユーザ操作によって登録されているキーワードが含まれているか否かを判断する（Ｓ３）。存在しない場合（Ｓ３でＮＯ）、制御部２は、放送データを受信する放送局を切換えず、受信部６は現在受信している放送局の放送データを継続して受信する。その後、Ｓ２に戻る。
【００３０】
存在する場合（Ｓ３でＹＥＳ）、制御部２は、放送データを受信する放送局を、キーワードを含むコンテンツ情報のコンテンツを現在放送している放送局に切換えるように、受信部６を制御する（Ｓ４）。従って、受信部６は、キーワードを含むコンテンツ情報のコンテンツを現在放送している放送局の放送データを受信開始する。
【００３１】
なお、Ｓ３において、複数の放送局のキューシートにおいて、現在時刻に対応するコンテンツ情報にキーワードが含まれる場合、制御部２は、任意の適切な方法で１つの放送局を選択し、受信部６に放送データを受信させるとよい。例えば、現在受信している放送局と他の放送局とで、キューシートの現在時刻に対応するコンテンツ情報にキーワードが含まれる場合、現在受信している放送局を優先的に選択するとよい。この場合、現在受信している放送局を継続して受信させることによって、頻繁に放送局が切換えられユーザに不快感を与えることを防止できる。また、複数の放送局のキューシートにおいて、現在時刻に対応するコンテンツ情報にキーワードが含まれる場合、ユーザ操作によって放送局を選択するようにしてもよい。また、１つのみの放送局のキューシートにおいて、現在時刻に対応するコンテンツ情報にキーワードが含まれる場合であっても、ユーザに放送局を変更するか否かを問い合わせて、変更する旨の指示が入力された場合に、放送局を切換えるようにしてもよい。
【００３２】
以下、図２Ａ〜図２Ｃのキューシートを参照して具体例を説明する。図２Ａに示すように、２０１０年１月１日１７時００分において、キーワード「ａａａ」が放送局Ｘのキューシートのアーティスト名に含まれていると判断される。従って、放送データを受信する放送局が、アーティスト名「ａａａ」を含むコンテンツを現在放送している放送局Ｘに切換えられる。次に、図２Ｂに示すように、同日１７時１７分において、キーワード「ａａａ」が放送局Ｙのキューシートのアーティスト名に含まれていると判断される。従って、放送データを受信する放送局が、アーティスト名「ａａａ」を含むコンテンツを現在放送している放送局Ｙに切換えられる。すなわち、同日１７時１７分迄は、ユーザ操作によって放送局が切換えられない限り、放送局Ｘが継続して受信されている。次に、図２Ｃに示すように、同日１７時２７分において、キーワード「ａａａ」が放送局Ｚのキューシートのアーティスト名に含まれていると判断される。従って、放送データを受信する放送局が、アーティスト名「ａａａ」を含むコンテンツを現在放送している放送局Ｚに切換えられる。すなわち、同日１７時１７分〜１７時２７分は、ユーザ操作によって放送局が切換えられない限り、放送局Ｙが継続して受信されている。
【００３３】
以上のように、キューシートがサーバ１００の管理者によってコンテンツの放送開始時後直ちに更新されることで、放送データを受信する放送局を、ユーザ操作によって登録されているキーワードがキューシートのコンテンツ情報に含まれるコンテンツを放送している放送局に自動的に切換えることができる。
【００３４】
次に、本発明の別の好ましい実施形態を説明する。図４は本例の制御部２の処理を示すフローチャートである。制御部２は、ユーザ操作に応じてキーワードが入力されると、入力されたキーワードをメモリ４に登録する（Ｓ１）。制御部２は、ユーザ操作によって選択されたデフォルトの放送局の放送データを受信するように受信部６を制御する（Ｓ１１）。
【００３５】
サーバ１００は、管理者の操作によって、各放送局のキューシートについて、放送時刻およびコンテンツ情報を随時更新し、サーバ１００のメモリに保存している。制御部２は、所定時間毎にサーバ１００に各放送局のキューシートを送信するようにインターネット経由で要求し、サーバ１００から各放送局のキューシートをインターネット経由で取得し、メモリ４に保存する（Ｓ２）。
【００３６】
制御部２は、現在時刻に対応する各放送局のキューシートのコンテンツ情報（曲名、アーティスト名）を参照して、コンテンツ情報にユーザ操作によって登録されているキーワードが含まれているか否かを判断する（Ｓ３）。存在しない場合（Ｓ３でＮＯ）、制御部２は、放送データを受信する放送局を、ユーザ操作によって選択されたデフォルトの放送局に切換える（Ｓ１１）。
【００３７】
存在する場合（Ｓ３でＹＥＳ）、制御部２は、放送データを受信する放送局を、キーワードを含むコンテンツ情報のコンテンツを現在放送している放送局に切換えるように、受信部６を制御する（Ｓ４）。従って、受信部６は、キーワードを含むコンテンツ情報のコンテンツを現在放送している放送局の放送データを受信開始する。
【００３８】
以下、図２Ａ〜図２Ｃのキューシートを参照して具体例を説明する。まず、ユーザ操作によってデフォルトの放送局として放送局Ｚが選択された場合、制御部２は、放送局Ｚを受信するように受信部６を制御する。図２Ａに示すように、２０１０年１月１日１７時００分において、キーワード「ａａａ」が放送局Ｘのキューシートのアーティスト名に含まれていると判断される。従って、放送データを受信する放送局が、アーティスト名「ａａａ」を含むコンテンツを現在放送している放送局Ｘに切換えられる。同日１７時１１分において、どの放送局のキューシートのコンテンツ情報にもキーワード「ａａａ」が含まれていないと判断される。従って、放送データを受信する放送局が、デフォルトの放送局として放送局Ｚに切換えられる。
【００３９】
次に、図２Ｂに示すように、同日１７時１７分において、キーワード「ａａａ」が放送局Ｙのキューシートのアーティスト名に含まれていると判断される。従って、放送データを受信する放送局が、アーティスト名「ａａａ」を含むコンテンツを現在放送している放送局Ｙに切換えられる。同日１７時２３分において、どの放送局のキューシートのコンテンツ情報にもキーワード「ａａａ」が含まれていないと判断される。従って、放送データを受信する放送局が、デフォルトの放送局として放送局Ｚに切換えられる。
【００４０】
次に、図２Ｃに示すように、同日１７時２７分において、キーワード「ａａａ」が放送局Ｚのキューシートのアーティスト名に含まれていると判断される。従って、放送データを受信する放送局が、アーティスト名「ａａａ」を含むコンテンツを現在放送している放送局Ｚに切換えられるが、元々放送局Ｚが選択されていたので、放送局が切換えられないことになる。
【００４１】
以上のように本例によると、コンテンツ情報にキーワードを含むコンテンツが放送されている時間だけその放送局に切換えられ、それ以外の時間はユーザ操作によって選択されたデフォルトの放送局の放送データを受信することができる。
【００４２】
以上、本発明の好ましい実施形態を説明したが、本発明はこれらの実施形態には限定されない。本発明の放送受信装置を動作させるためのコンピュータプログラムまたはそのコンピュータプログラムを記録した記録媒体という形態で提供されてもよい。
【産業上の利用可能性】
【００４３】
本発明は、ラジオやＴＶ等の放送受信装置に好適に採用され得る。
【符号の説明】
【００４４】
１              放送受信装置
２              制御部
３              ＨＤＤ
４              メモリ
５              再生部
６              受信部
７              通信部
８              操作部
９              表示部
１００          サーバ
【図１】
2012151605.tif 000003
【図２Ａ】
2012151605.tif 000004
【図２Ｂ】
2012151605.tif 000005
【図２Ｃ】
2012151605.tif 000006
【図３】
2012151605.tif 000007
【図４】
2012151605.tif 000008